(57)【特許請求の範囲】
【請求項１】
吐出ポンプのピストン付きの作動部材に適用可能な押下げ用の吐出ヘッドであって、
垂直な中心軸(Ｏ)と同心状でありかつ上記作動部材に嵌合可能な支持筒(３４)を下面側から垂下するヘッド本体(３２)と、
このヘッド本体の周面に回動自在に嵌合させたカバー部材(６０)とで構成され、
上記ヘッド部材は、上記支持筒(３４)の内部の垂直な主流路(４６)と、この主流路(４６)の上部からヘッド部材の周壁(６２)へ開通する複数の分岐路(４８Ａ、４８Ｂ…)とで構成した吐出路(４４)を有し、
各分岐路の先部で形成する吐出口(５０Ａ、５０Ｂ…)を、相互に内容物を異なる吐出モードで吐出可能に設けるとともに、
上記カバー部材(６０)の周壁の一側に窓孔(６４)を開口し、ヘッド本体(３２)に対してカバー部材(６０)を回転させることで、上記複数の吐出口の任意の一つを選択して窓孔(６４)に合わせることが可能に設け、かつこの状態での残りの吐出口の吐出路が遮断されるように構成し、
上記ヘッド本体(３２)の頂部に上記主流路(４６)へ至る貫通孔(５４)を開口するとともに、
上記カバー部材(６０)の頂壁中央部から垂下した軸筒(７０)を、上記貫通孔(５４)及び主流路(４６)の各内面に液密に嵌合させるとともに、この軸筒(７０)のうち窓孔(６４)と同じ側の部分に切欠き(７４)を設けることで、一つの分岐路が窓孔(６４)に開通しているときに、残りの分岐路(４８Ａ、４８Ｂ…)が主流路(４６)との分岐箇所で軸筒(７０)によって遮断されるように構成し、
上記軸筒内側の頂壁部分から、通路形成用の凹没部(６８)を下端面に有する棒状体(６６)を垂下したことを特徴とする、吐出モードの切替え可能な吐出ヘッド。
【請求項２】
上記吐出路(４４)は、少なくとも一つの泡放出用の吐出口及び一つの霧放出用の吐出口を有することを特徴とする、請求項１に記載の吐出モードの切替え可能な吐出ヘッド。
【請求項３】
上記各吐出口(５０Ａ、５０Ｂ…)を上記窓孔(６４)に合わせるための位置合わせ手段(８０，８２)を、上記ヘッド本体(３２)及びカバー部材(６０)に形成したことを特徴とする、請求項１または請求項２に記載の吐出モードの切替え可能な吐出ヘッド。
【請求項４】
鍔(６)付きのシリンダ(４)及び作動部材(１２)を含む吐出ポンプ(２)と、このポンプを容器体の口頸部(Ｎ)に固定するための装着筒部材(２０)と、上記請求項１から請求項３の何れかに記載の吐出ヘッド(３０)とで構成された吐出器であって、
上記装着筒部材(２０)とヘッド本体(３２)との間に回り止め機構(４０)を設けたことを特徴とする、吐出モードの切替え可能な吐出器。
【発明の詳細な説明】
【技術分野】
【０００１】
本発明は、吐出モードを切替え可能な吐出ヘッド及び吐出器に関する。
【背景技術】
【０００２】
泡及び霧を切り替え可能な吐出器として、押下げヘッド式ではないが、霧放出用のノズル孔の外側に発泡筒を筒軸を水平にして設け、この発泡筒を内外方向に進退させ、或いは発泡筒を回転させることで、霧が発泡筒の内面に衝突して発泡しかつ霧が発泡筒内をそのまま通過するように設けたものが知られている（特許文献１〜２）。
【先行技術文献】
【特許文献】
【０００３】
【特許文献１】特開平０９−２７８０５２号
【特許文献２】特開２０００−２４６１５４
【発明の概要】
【０００４】
特許文献１〜２の吐出モード変更機構は、トリガー式の吐出器を前提としており、押下げ式の吐出ヘッドの吐出モード切替に関しては何も提案していない。仮に水平な軸周りを回転し、または軸方向に進退する発泡筒を、押下げ式の吐出ヘッドに設けるとすると、このヘッド部分が嵩張り、必ずしも好適ではない。
【０００５】
また吐出モード変更機構は、一つの吐出口を霧及び泡放出用に兼用しているが、例えば設計仕様や用途によっては、極め細かい泡を放出できるメッシュ付きの発泡筒を用いたい場合がある。
【０００６】
本願発明の第１の目的は、押下げ式の吐出ヘッドのヘッド本体に吐出モードの異なる複数の吐出口を設け、ヘッド本体に対してカバー部材を回転させることで、吐出口を選択することが可能な吐出ヘッド及び吐出器を提供することである。
【０００７】
本発明の第２の目的は、複数の吐出口の一つを選択したときに残りの吐出口に至る吐出用の通路を確実に閉鎖することが可能な吐出ヘッド及び吐出器を提供することである。
【課題を解決するための手段】
【０００８】
第１の手段は、
吐出ポンプのピストン付きの作動部材に適用可能な押下げ用の吐出ヘッドであって、
垂直な中心軸Ｏと同心状でありかつ上記作動部材に嵌合可能な支持筒３４を下面側から垂下するヘッド本体３２と、
このヘッド本体の周面に回動自在に嵌合させたカバー部材６０とで構成され、
上記ヘッド部材は、上記支持筒３４の内部の垂直な主流路４６と、この主流路４６の上部からヘッド部材の周壁６２へ開通する複数の分岐路４８Ａ、４８Ｂ…とで構成した吐出路４４を有し、
各分岐路の先部で形成する吐出口５０Ａ、５０Ｂ…を、相互に内容物を異なる吐出モードで吐出可能に設けるとともに、
上記カバー部材６０の周壁の一側に窓孔６４を開口し、ヘッド本体３２に対してカバー部材６０を回転させることで、上記複数の吐出口の任意の一つを選択して窓孔６４に合わせることが可能に設け、かつこの状態での残りの吐出口の吐出路が遮断されるように構成し、
上記ヘッド本体３２の頂部に上記主流路４６へ至る貫通孔５４を開口するとともに、
上記カバー部材６０の頂壁中央部から垂下した軸筒７０を、上記貫通孔５４及び主流路４６の各内面に液密に嵌合させるとともに、この軸筒７０のうち窓孔６４と同じ側の部分に切欠き７４を設けることで、一つの分岐路が窓孔６４に開通しているときに、残りの分岐路４８Ａ、４８Ｂ…が主流路４６との分岐箇所で軸筒７０によって遮断されるように構成し、
上記軸筒内側の頂壁部分から、通路形成用の凹没部６８を下端面に有する棒状体６６を垂下した。
【０００９】
本手段は、図１に示す如く吐出ヘッドのヘッド本体３２内の吐出路４４を途中から分岐させて、複数の分岐路４８Ａ、４８Ｂ…の先部である吐出口から、それぞれ異なる吐出モードで内容物を噴出可能としている。吐出モードとしては、泡・霧・液の直流（ジェット）などが考えられる。各モード用の吐出口を、相互に独立して設計することができる。カバー部材の窓孔を各吐出口に合わせて各モードの流体を噴出可能とする。
【００１１】
また本手段は、ヘッド本体の頂部に図１に示す貫通孔５４を穿設し、この貫通孔を介してカバー部材の頂壁から垂下する切欠き７４付きの軸筒７０を主流路４６内に嵌合することで、各分岐路４８Ａ、４８Ｂ…の開閉を可能としている。開閉箇所がヘッド本体の内部にあるから、液漏れなどを生じにくい。
【００１２】
第２の手段は、第１の手段を有し、かつ
上記吐出路４４は、少なくとも一つの泡放出用の吐出口及び一つの霧放出用の吐出口を有する。
【００１３】
本手段は、上記吐出口を、泡放出用の吐出口及び霧放出用の吐出口とすることを提案している。
【００１４】
第３の手段は、第１の手段または第２の手段を有し、かつ
上記各吐出口５０Ａ、５０Ｂ…を上記窓孔６４に合わせるための位置合わせ手段８０，８２を、上記ヘッド本体３２及びカバー部材６０に形成している。
【００１５】
本手段では、図２及び図７に示すようにヘッド本体３２及びカバー部材６０に位置合わせ用手段８０，８２を設けたから、カバー部材６０を所定箇所に確実に合わせることができる。
【００１６】
第４の手段は、
鍔６付きのシリンダ４及び作動部材１２を含む吐出ポンプ２と、このポンプを容器体の口頸部Ｎに固定するための装着筒部材２０と、第１の手段から第３の手段の何れかに記載の吐出ヘッド３０とで構成された吐出器であって、
上記装着筒部材２０とヘッド本体３２との間に回り止め機構４０を設けている。
【００１７】
本手段は、図１の如く装着筒部材２０とヘッド本体３２との間に回り止め機構４０を設けたから、ヘッド本体３２に対してカバー部材６０を確実に回転させることができる。
【発明の効果】
【００１８】
第１の手段に係る発明によれば、吐出ヘッドのヘッド本体３２に吐出モードの異なる複数の吐出口５０Ａ、５０Ｂ…をそれぞれ設けたから、各吐出モードに適した吐出口の形態を実現し易い。
【００１９】
また第１の手段に係る発明によれば、各分岐路をその分岐箇所で遮断するようにしたから、確実に内容物を遮断できる。
【００２０】
第２の手段に係る発明によれば、泡放出用の吐出口及び霧放出用の吐出口をそれぞれ設けたから、状態の良好な泡及び霧を放出することができる。
【００２１】
第３の手段に係る発明によれば、ヘッド本体３２及びカバー部材６０に位置合わせ用手段を設けたから、カバー部材６０を所定箇所に確実に合わせることができる。
【００２２】
第４の手段に係る発明によれば、装着筒部材２０とヘッド本体３２との間に回り止め機構４０を設けたから、ヘッド本体３２に対してカバー部材６０を確実に回転させることができる。
【図面の簡単な説明】
【００２３】
【図１】本発明の実施形態に係る吐出器の一の状態での縦断面図である。
【図２】図１の吐出器の平面図である。
【図３】図１の吐出器の要部拡大図である。
【図４】図１の吐出器のカバー部材の縦断面図である。
【図５】図４のカバー部材の底面図である。
【図６】図１の吐出器の他の状態での縦断面図である。
【図７】図１の吐出器の他の状態での平面図である。
【発明を実施するための形態】
【００２４】
図１から図７は、本発明の第１の実施形態に係る吐出器を示している。この吐出器は、図１に示す如く吐出ポンプ２と、装着筒部材２０と、吐出ヘッド３０とで構成している。これら各部材は特に断らない限り合成樹脂で形成することができる。
【００２５】
吐出ポンプ２は、容器体口頸部Ｎへの載置用の鍔６を上端部に付設するとともに吸込み弁８を下端部に有するシリンダ４と、シリンダ内に昇降可能に縦設した弁棒１０と、シリンダ内に下部を挿入した作動部材１２とで構成されている。この作動部材１２は、第１筒状ピストン１４ａを下端に有する第１パーツ１４と、第２筒状ピストン１６ａを上端に有する第２パーツ１６と、ピストンガイド１８とを具備する。第１筒状ピストン１４ａはシリンダ４内に、また第２筒状ピストン１６ａは、ピストンガイド下半の大径筒部内にそれぞれ摺動可能に嵌合されている。第１パーツ１４の上部とピストンガイド１８との間に吐出弁１９を形成している。第１筒状ピストン１４ａとシリンダ４の下部との間にはスプリングを介装する。もっともこれらの構成は適宜変更することができる。
【００２６】
装着筒部材２０は、容器体の口頸部Ｎの外面への装着筒２２の上端に付設した内向きフランジ２４の内周から取付筒２６を、内向きフランジ２４の外周から案内筒２８をそれぞれ起立している。
【００２７】
吐出ポンプ３０は、ヘッド本体３２と、カバー部材６０とで形成している。
【００２８】
上記ヘッド本体３２は、下面の中央部から小径周壁である支持筒３４を、また下面の外周部から中径周壁３６及び大径周壁３８をそれぞれ垂下している。上記支持筒３４は、上記ピストンガイド１８の小径上部の外面に液密に嵌合している。また中径周壁３６は取付筒２６の外面に、さらに大径周壁３８は案内筒２８の外面にそれぞれ嵌合している。これら大径周壁３８と案内筒２８とには、相互に係合する凹条及び凸条で形成する回り止め機構４０を設ける。さらに図示例では、中径周壁３６と取付筒２６との間にも相互に係合する凹凸状の係合条４２を縦設している。
【００２９】
上記ヘッド本体３２には吐出路４４を設ける。この吐出路４４は、図３に示すように、支持筒３４の内部に形成される垂直な主流路４６と、この主流路の上部から前後方向反対側へ延びる分岐路４８Ａ、４８Ｂとで形成している。各分岐路の先部には、吐出モードが異なる吐出口５０Ａ、５０Ｂを形成する。これら吐出口は同じ程度の高さに設けることが望ましい。図示例では、吐出口５０Ａは霧の放出口とし、吐出口５０Ｂは泡の放出口としている。この吐出口５０Ｂは、口部を外方へ延長して、この延長部分内にメッシュ５２ａを有する発泡筒５２を嵌合している。“吐出モードの異なる吐出口”とは、同種の噴霧形態でも粒子の細かいものと荒いものとを組み合わせるようなものを含む。
【００３０】
上記ヘッド本体３２の頂壁中心部には、主流路４６に連続する貫通孔５４を穿設する。この貫通孔の孔縁からはリム５５を起立している。また主流路４６の内面から内向きフランジ状部５６を介して補助筒５８を起立している。
【００３１】
上記カバー部材６０は、有頂筒形であって、図１に示す如くその筒壁（周壁６２）をヘッド本体３２の大径周壁３８の外面に回動自在に嵌合している。カバー部材の周壁６２には、吐出口５０Ａ、５０Ｂより大径の窓孔６４を開口している。
【００３２】
上記カバー部材６０の頂壁の中央部からは、通路形成用の凹没部６８を下端面に有する円棒状の棒状体６６を、その周囲から軸筒７０及び軸筒よりも大径の押下げ筒７２をそれぞれ垂下している。
【００３３】
上記棒状体６６は、補助筒の上端面と同一の高さまで垂下している。この棒状体６６と軸筒７０との間には、十分な流体圧力を得られるように狭い隙間を介在させる。
【００３４】
上記軸筒７０は、窓孔６４と同じ側の筒壁部分に切欠き７４を形成し、この切欠き７４を介して主流路と分岐路の一つを連通させるとともに、残りの筒壁部分で他の分岐路との連通を遮断するように形成する。
【００３５】
上記押下げ筒７２は、上記リム５５の外面に係合させて、上記ヘッド本体の頂壁上面に当接している。
【００３６】
さらに図３に示すヘッド本体３２の大径周壁３８内面とカバー部材６０の周壁６２との間には、図７の如く窓孔６４と一方の吐出孔５０Ａが合ったときに相互に係合する一対の縦リブ８０ａ、８０ｂからなる第１位置決め手段８０と、図２の如く窓孔６４と他方の吐出孔５０Ｂが合ったときに相互に係合する一対の縦リブ８２ａ、８２ｂからなる第２位置決め手段８２とを設ける。
【００３７】
上記構成において、本願の吐出器を内容液が入った容器体の口頸部に取り付け、図１の状態で吐出ヘッドを押し下げると、主流路４６から分岐路４８Ｂを通って吐出口５０Ｂに到達し、吐出口５０Ｂから泡として放出される。次にカバー部材６０を吐出ヘッドに対して回転させ、図６の状態にして吐出ヘッドを押し下げると、内容液が主流路４６から分岐路４８Ａを通って吐出口５０Ａに到達し、吐出口５０Ａから霧として放出される。
【符号の説明】
【００３８】
２…吐出ポンプ  ４…シリンダ  ６…鍔  ８…吸込み弁  １０…弁棒
１２…作動部材  １４…第１パーツ  １４ａ…第１筒状ピストン
１６…第２パーツ  １６ａ…第２筒状ピストン  １８…ピストンガイド
１９…吐出弁  ２０…装着筒部材  ２２…装着筒  ２４…内向きフランジ  
２６…取付筒  ２８…案内筒
３０…吐出ヘッド  ３２…ヘッド本体  ３４…支持筒  ３６…中径周壁
３８…大径周壁  ４０…回り止め機構  ４２…係合条
４４…吐出路  ４６…主流路  ４８Ａ、４８Ｂ…分岐路
５０Ａ、５０Ｂ…吐出口  ５１…延長筒部  ５２…発泡筒  ５２ａ…メッシュ
５４…貫通孔  ５５…リム
５６…内向きフランジ状部  ５８…補助筒  
６０…カバー部材  ６２…周壁  ６４…窓孔  ６６…棒状体
６８…凹没部  ７０…軸筒  ７２…押下げ筒  ７４…切欠き  
８０…第１位置決め手段  ８２…第２位置決め手段
【図１】
0005598911.tif 000002
【図２】
0005598911.tif 000003
【図３】
0005598911.tif 000004
【図４】
0005598911.tif 000005
【図５】
0005598911.tif 000006
【図６】
0005598911.tif 000007
【図７】
0005598911.tif 000008